(57)【特許請求の範囲】
【請求項１】
複数台の号機の運行を統合的に制御するエレベータの群管理制御装置であって、
第１の群管理制御と第２の群管理制御とを実行可能な制御部を備え、
前記制御部は、
前記第１の群管理制御において、乗場呼びの発生時、前記乗場呼びを前記複数台の号機の各々に仮割当てして、各号機の当該乗場呼びに対する応答時間を求め、前記複数台の号機のうち最小の応答時間を有する号機に前記乗場呼びを割り当て、
前記第２の群管理制御において、乗場呼びの発生時、各号機の運行状態を示す複数のパラメータに基づいて、各号機の当該乗場呼びに対する割当適性に関する評価値を求め、前記複数台の号機のうち最も高い割当適性を示す評価値を有する号機に前記乗場呼びを割り当てるように構成され、
前記制御部は、
各号機の現在位置を示す階床名を表示する階床インジケータがエレベータ乗場に配置された特定階で乗場呼びが発生したときは、当該乗場呼びに対して前記第１の群管理制御を実行し、
前記特定階以外の階床で乗場呼びが発生したときは、当該乗場呼びに対して前記第２の群管理制御を実行する、
エレベータの群管理制御装置。
【請求項２】
前記制御部は、第１の群管理制御において、割当済・未応答の乗場呼びの各々について、前記複数台の号機の各々に仮割当てして、各号機の当該乗場呼びに対する応答時間を求め、前記複数台の号機の中に、現在割り当てられている号機の応答時間よりも短い応答時間を有する号機が存在するときは、最小の応答時間を有する号機に割当変更を行う、
請求項１に記載のエレベータの群管理制御装置。
【請求項３】
前記制御部は、第２の群管理制御において、割当済で未応答の乗場呼びの各々について、前記複数台の号機の各々に仮割当てして、各号機の割当適性に関する評価値を求め、前記複数台の号機の中に、現在割り当てられている号機の評価値よりも高い割当適性を示す評価値を有する号機が存在するときは、最も高い割当適性を示す評価値と現在割り当てられている号機の評価値との差が所定値以上であることを条件として、最も高い割当適性を示す評価値を有する号機に割当変更を行う、
請求項１または請求項２に記載のエレベータの群管理制御装置。
【請求項４】
前記制御部は、第２の群管理制御において、割当済で未応答の乗場呼びの各々について、前記複数台の号機の各々に仮割当てして、各号機の割当適性に関する評価値及び当該乗場呼びに対する応答時間を求め、前記複数台の号機の中に、現在割り当てられている号機の評価値よりも高い割当適性を示す評価値を有する号機が存在するときは、最も高い割当適性を示す評価値を有する号機の応答時間が現在割り当てられている号機の応答時間よりも所定時間以上短いことを条件として、最も高い割当適性を示す評価値を有する号機に割当変更を行う、
請求項１または請求項２に記載のエレベータの群管理制御装置。
【請求項５】
前記制御部は、前記特定階で乗場呼びが発生したときであっても、所定の混雑状態が検知されまたは所定の混雑時間帯にあるときは、当該乗場呼びに対して前記第２の群管理制御を実行する、
請求項１から請求項４のいずれか１項に記載のエレベータの群管理制御装置。
【請求項６】
複数台の号機と、
請求項１から請求項５のいずれか１項に記載のエレベータの群管理制御装置と、を有する、
エレベータシステム。
【発明の詳細な説明】
【技術分野】
【０００１】
本発明は、乗場呼びを複数台のエレベータのうちのいずれかに割り当てるエレベータの群管理制御装置、及びそれを有するエレベータシステムに関する。
【背景技術】
【０００２】
特許文献１は、複数台のエレベータの運行を制御するエレベータシステムを開示している。また、特許文献１では、各階床の乗場に各号機の現在位置を表示する階床インジケータが設けられている。
【先行技術文献】
【特許文献】
【０００３】
【特許文献１】特開２００９−９１０９９号公報
【発明の概要】
【発明が解決しようとする課題】
【０００４】
複数台のエレベータ（号機）の運行を統合的に制御する群管理制御においては、ある階で利用者が上方向または下方向の乗場呼びを登録したような場合、例えば、エレベータシステム全体での運行効率等を評価した結果に基づいて、乗場呼びをいずれかの号機に割り当てる。このような制御では、登録階の最も近くに存在する号機が応答するとは限らず、利用者が階床インジケータを目視していた場合、最も近くに存在する号機が応答しないことに対して違和感を持つ可能性がある。
【０００５】
本発明は、利用者の違和感を抑制しつつ、エレベータシステム全体としての運行効率を適切に確保できるエレベータの群管理制御装置、及びそれを有するエレベータシステムを提供する。
【課題を解決するための手段】
【０００６】
本発明のエレベータの群管理制御装置は、複数台の号機の運行を統合的に制御する。
群管理制御装置は、第１の群管理制御と第２の群管理制御とを実行可能な制御部を備える。
制御部は、
第１の群管理制御において、乗場呼びの発生時、乗場呼びを複数台の号機の各々に仮割当てして、各号機の当該乗場呼びに対する応答時間を求め、複数台の号機のうち最小の応答時間を有する号機に乗場呼びを割り当て、
第２の群管理制御において、乗場呼びの発生時、各号機の運行状態を示す複数のパラメータに基づいて、各号機の当該乗場呼びに対する割当適性に関する評価値を求め、複数台の号機のうち最も高い割当適性を示す評価値を有する号機に乗場呼びを割り当てるように構成されている。
制御部は、
複数台の号機の現在位置を示す階床インジケータが配置された特定階で乗場呼びが発生したときは、当該乗場呼びに対して第１の群管理制御を実行し、
特定階以外の階床で乗場呼びが発生したときは、当該乗場呼びに対して第２の群管理制御を実行する。
【発明の効果】
【０００７】
本発明によれば、階床インジケータが配置された特定階で乗場呼びが発生した場合、最小の応答時間を有する号機が割り当てられる。そのため、特定階に近い位置に存在する号機が割り当てられる可能性が高くなる。したがって、特定階で階床インジケータを目視しながら待っている利用者が違和感を持つことが抑制される。
【０００８】
一方、特定階以外の階床で乗場呼びが発生した場合、各号機の運行状態を示す複数のパラメータに基づいて、各号機の当該乗場呼びに対する割当適性に関する評価値が求められ、複数台の号機のうち最も高い割当適性を示す評価値を有する号機に乗場呼びが割り当てられる。そのため、エレベータシステム全体としての運行効率を適切に確保できる。
【０００９】
このように、本発明によれば、特定階における利用者の違和感を抑制しつつ、エレベータシステム全体としての運行効率を適切に確保できる。
【図面の簡単な説明】
【００１０】
【図１】実施形態１におけるエレベータシステムの構成を示すブロック図である。
【図２】実施形態１における群管理制御装置による乗場呼びに対する号機割当処理を説明するフローチャートである。
【図３】実施形態１における群管理制御装置により、図２のステップＳ１３で行われる簡易方式での号機割当処理を説明するフローチャートである。
【図４】実施形態１における群管理制御装置により、図２のステップＳ１４で行われる即時予報方式での号機割当処理を説明するフローチャートである。
【図５】実施形態１における群管理制御装置による割当変更処理を説明するフローチャートである。
【図６】実施形態１における群管理制御装置により、図５のステップＳ４３で行われる簡易方式での割当変更処理の具体的処理を説明するフローチャートである。
【図７】実施形態１における群管理制御装置により、図５のステップＳ４４で行われる即時予報方式での割当変更の具体的処理を説明するフローチャートである。
【図８】実施形態２における群管理制御装置による乗場呼びに対する号機割当処理を説明するフローチャートである。
【図９】実施形態２における群管理制御装置による割当変更処理を説明するフローチャートである。
【図１０】実施形態３における群管理制御装置による乗場呼びに対する号機割当処理を説明するフローチャートである。
【図１１】実施形態３における群管理制御装置による割当変更処理を説明するフローチャートである。
【発明を実施するための形態】
【００１１】
（実施形態１）
本発明の実施形態について図面を参照して説明する。
【００１２】
１．構成
１−１．エレベータシステムの概要
図１は、実施形態１に係るエレベータシステムの構成を示すブロック図である。本実施形態に係るエレベータシステムは、エレベータ６０−１、６０−２、６０−３と、群管理制御装置１０と、乗場呼び登録装置３０と、号機制御装置４０−１、４０−２、４０−３と、階床インジケータ７０と、ホールランタン８０とを有する。
【００１３】
エレベータ６０−１、６０−２、６０−３は、それぞれ、かご、巻上機（モータ）、釣合おもり等を有する。なお、エレベータ６０−１、６０−２、６０−３に関し、説明において特に区別する必要がない場合、適宜「エレベータ６０」あるいは「号機」という。
【００１４】
本実施形態のエレベータシステムでは、各階床において、乗場呼び登録装置３０の上方向ボタンまたは下方向ボタンにより上方向または下方向の乗場呼びを登録する方式を採用している。群管理制御装置１０は、各階の乗場呼び登録装置３０において新規に登録された乗場呼びを、複数台の号機のいずれかに割り当てる制御を行う。また、群管理制御装置１０は、複数台の号機の運行を統合的に制御する。
【００１５】
１−２．エレベータシステムの構成
１−２−１．群管理制御装置
群管理制御装置１０は、複数台の号機の運行を統合的に制御する。また、群管理制御装置１０は、乗場呼び登録装置３０において利用者により登録（指定）された乗場呼びを、複数台の号機のうちのいずれかに割り当てる。
【００１６】
群管理制御装置１０は、コンピュータを利用して構成され、制御部１１と、記憶部１２と、入出力インタフェース１３とを備える。
【００１７】
記憶部１２は、例えばＲＡＭ、ＲＯＭ、ＨＤＤ、ＳＳＤ等を利用して構成され、プログラム、及び種々のデータを格納している。プログラムは、本実施形態の群管理制御装置１０の各種機能を実現するためのプログラムを含む。
【００１８】
制御部１１は、例えばＣＰＵ、ＭＰＵ等を利用して構成される。制御部１１は、記憶部１２から読み出した上記プログラムに基づいて種々のデータ等を利用して演算処理を行うことにより、群管理制御装置１０における後述する各種の機能を実現する。
【００１９】
入出力インタフェース１３は、群管理制御装置１０において、乗場呼び登録装置３０、号機制御装置４０（４０−１〜４０−３）、階床インジケータ７０、及びホールランタン８０との間で各種信号を入出力するためのインタフェースである。入出力インタフェース１３は、制御部１１から出力される信号を所定の形式の信号に変換して乗場呼び登録装置３０、号機制御装置４０、階床インジケータ７０、及びホールランタン８０に出力する。また、入出力インタフェース１３は、乗場呼び登録装置３０、号機制御装置４０（４０−１〜４０−３）から入力された信号を所定の形式の信号に変換して制御部１１に出力する。
【００２０】
１−２−２．号機制御装置
号機制御装置４０−１〜４０−３は、群管理制御装置１０からの制御信号に基づいて、対応するエレベータ６０（号機）をそれぞれ駆動制御する。また、号機制御装置４０−１〜４０−３は、対応するエレベータ６０（号機）のかごの位置、走行方向、ドアの開閉状態、荷重等を含むかご状態を検知して、検知したかご状態を示す情報を含むかご状態信号を群管理制御装置１０に出力する。なお、号機制御装置４０−１〜４０−３に関し、説明において特に区別する必要がない場合、適宜「号機制御装置４０」という。
【００２１】
１−２−３．乗場呼び登録装置
乗場呼び登録装置３０は、ビルの各階床のエレベータ乗場に配置されている。乗場呼び登録装置３０は、利用者による乗場呼びの登録を受け付ける。乗場呼び登録装置３０は、上方向ボタンと、下方向ボタンと、信号出力部とを有する。信号出力部は、上方向ボタンまたは下方向ボタンが押下されると、押下されたボタンに対応する、上方向乗場呼び登録依頼信号または下方向乗場呼び登録依頼信号を群管理制御装置１０に出力する。
【００２２】
１−２−４．階床インジケータ
階床インジケータ７０は、ビルの特定階のエレベータ乗場に配置されている。特定階は、例えばビルの外部に通じるロビー階である。階床インジケータ７０は、エレベータ６０−１、６０−２、６０−３（号機）の各々に対応付けて設けられている。階床インジケータ７０は、対応する号機が現在位置している階床を示す情報を、群管理制御装置１０から受信し、受信した情報が示す階床名を表示する。なお、階床インジケータ７０は、当該号機が現在位置している階床を示す情報を、対応する号機の号機制御装置４０から受信してもよい。
【００２３】
１−２−５．ホールランタン
ホールランタン８０は、ビルの特定階以外の各階床のエレベータ乗場に配置されている。ホールランタン８０は、エレベータ６０−１、６０−２、６０−３（号機）の各々に対応付けて設けられている。ホールランタン８０は、群管理制御装置１０から点灯制御信号を受信すると点灯する。なお、ホールランタン８０は、対応する号機の号機制御装置４０から点灯制御信号を受信してもよい。
【００２４】
２．動作
２−１．動作の概要
本実施形態に係るエレベータシステムの動作の概要について説明する。本システムでは、乗場呼び登録装置３０において乗場呼び（上方向また下方向の呼び）の登録を受け付けると、受け付けた乗場呼びを複数台の号機のうちのいずれかに割り当てる。そして、割り当てた号機（割当号機）を、乗場呼びの登録階に走行させる。割当号機が登録階に到着し、かご内の行先階ボタンにおいて利用者により行先階が指定されると、指定された行先階へ当該割当号機を走行させる。
【００２５】
２−２．群管理制御装置の動作
群管理制御装置１０の制御部１１は、乗場呼びに対する号機の割当処理を行う。号機の割当処理は、乗場呼び登録装置３０を利用して登録された乗場呼びを、複数台の号機のうちのいずれかの号機に割り当てる処理である。具体的に、制御部１１は、乗場呼び登録装置３０から入出力インタフェース１３を介して割当依頼信号を受信すると、乗場呼びを複数台の号機のうちのいずれかに割り当てる割当処理を行う。割当依頼信号は、乗場呼び登録装置３０で登録された乗場呼びを、複数台の号機のうちのいずれかの号機に割り当てることを要求する信号である。割当依頼信号は、乗場呼びの登録操作が行われた階床（登録階）を示す情報を含む。
【００２６】
制御部１１は、割り当てた号機（割当号機）に対応する号機制御装置４０に、割り当てた乗場呼びの登録階（出発階）への走行及び当該登録階での停止を指示する制御信号を出力する。群管理制御装置１０からの制御信号を受信した号機制御装置４０は、対応するエレベータ（号機）を、群管理制御装置１０からの制御信号に基づいて、駆動制御する。
【００２７】
ここで、本実施形態のエレベータシステムでは、群管理制御装置１０の制御部１１は、簡易方式の群管理制御（第１の群管理制御）と即時予報方式の群管理制御（第２の群管理制御）とを実行可能である。群管理制御装置１０の制御部１１は、複数台の号機の現在位置を示す階床インジケータ７０が配置された特定階で乗場呼びが発生したときは、当該乗場呼びに対して簡易方式の群管理制御を実行し、特定階以外の階床で乗場呼びが発生したときは、当該乗場呼びに対して即時予報方式の群管理制御を実行する。以下において詳しく説明する。
【００２８】
２−２−１．即時予報方式
即時予報方式の群管理制御において、群管理制御装置１０の制御部１１は、乗場呼びの発生時、各号機の運行状態を示す複数のパラメータに基づいて、各号機の当該乗場呼びに対する割当適性に関する評価値を求め、複数台の号機のうち最も高い割当適性を示す評価値を有する号機に乗場呼びを割り当てる。
【００２９】
具体的に、群管理制御装置１０の制御部１１は、まず、各号機の運行情報に基づいて、乗場呼びを割り当てる号機を選択するための評価値を、複数台の号機の各々について算出する。各号機の運行情報には、例えば、各号機のかご状態（かごの位置、走行方向、ドアの開閉状態、荷重等を含む）、乗場呼びに対する応答時間（現在から割当号機が出発階に到着するまでの時間（待ち時間））、各号機に割当済みの呼びの乗場呼びの数、各号機の乗車人数予測値（かご荷重）などを示す情報が含まれる。応答時間は、例えば、（１）かごが現在位置から乗場呼びの登録階まで移動するのに要する移動時間と、（２）かごが現在位置から乗場呼びの登録階に到着するまでの間に、他の乗場呼びの利用者によりかご内の行先階ボタンを利用して登録されたかご呼びに応答して停止している時間と、（３）かごが現在位置から乗場呼びの登録階に到着するまでの間に、途中階の乗場呼びに応答して停止している時間と、を合計することで求めることができる。上記評価値の算出後、制御部１１は、複数台の号機のうち最も小さい評価値を有する号機を選択し、選択した号機に乗場呼びを割り当てる。
【００３０】
群管理制御装置１０の制御部１１は、即時予報方式の群管理制御により乗場呼びに対して号機の割り当てを行ったとき、即座に、登録階の、割当号機に対応するホールランタン８０に点灯制御信号を出力し、当該ホールランタン８０を点灯させる。
【００３１】
また、群管理制御装置１０の制御部１１は、即時予報方式の群管理制御において、割当済で未応答の乗場呼びの各々について、所定時間周期で、複数台の号機の各々に仮割当てして、各号機の割当適性に関する評価値を求め、複数台の号機の中に、現在割り当てられている号機の評価値よりも高い割当適性を示す評価値を有する号機が存在するときは、最も高い割当適性を示す評価値と現在割り当てられている号機の評価値との差が所定値以上であることを条件として、最も高い割当適性を示す評価値を有する号機に割当変更を行う。即時予報方式では、乗場呼びの登録時に割当号機を案内するため、その後に割当号機を変更すると、利用者が混乱する可能性がある。そのため、割当変更の実施を上記条件が満たされる場合だけに制限している。なお、最も高い割当適性を示す評価値と現在割り当てられている号機の評価値との差が所定値以上であることという条件に代えて、例えば、最も高い割当適性を示す評価値を有する号機の応答時間が現在割り当てられている号機の応答時間よりも所定時間以上短いことを条件としてもよい。例えば、割当変更によって応答時間（利用者の待ち時間）が１０秒程度短縮されるだけでは割当変更を実施せず、応答時間が１分程度短縮されるならば割当変更を実施する。なお、最も高い割当適性を示す評価値と現在割り当てられている号機の評価値との差が所定値以上であることを条件とする場合には、所定値を、例えば、割当変更の発生頻度が、応答時間が１分程度短縮された場合に割当変更を行うときの割当変更の発生頻度と同程度の発生頻度となるように設定する。
【００３２】
群管理制御装置１０の制御部１１は、即時予報方式の群管理制御により、割当済で未応答の乗場呼びに対して号機の割当変更を行ったとき、即座に、登録階の、割当変更先の号機に対応するホールランタン８０に点灯制御信号を出力し、当該ホールランタン８０を点灯させる。
【００３３】
上述のような即時予報方式では、乗場呼びに対して必ずしも最短の応答時間で応答する号機が割り当てられるわけではないが、簡易方式と比較して、エレベータシステム全体として良好な運行効率が得られる。
【００３４】
２−２−２．簡易方式
簡易方式の群管理制御において、群管理制御装置１０の制御部１１は、乗場呼びの発生時、乗場呼びを複数台の号機の各々に仮割当てして、各号機の運行情報に基づいて、各号機の当該乗場呼びに対する応答時間（現在位置から割当号機が出発階に到着するまでの時間）を求め、複数台の号機のうち最小の応答時間を有する号機に乗場呼びを割り当てる。
【００３５】
また、群管理制御装置１０の制御部１１は、割り当てた号機（割当号機）に対応する号機制御装置４０に、割り当てた乗場呼びの登録階（出発階）への走行及び当該登録階での停止を指示する制御信号を出力する。
【００３６】
群管理制御装置１０の制御部１１は、簡易方式の群管理制御において、割当済・未応答の乗場呼びの各々について、所定時間周期で、複数台の号機の各々に仮割当てして、各号機の当該乗場呼びに対する応答時間を求め、複数台の号機の中に、現在割り当てられている号機の応答時間よりも短い応答時間を有する号機が存在するときは、最小の応答時間を有する号機に割当変更を行う。そのため最小の応答時間を有する号機に、比較的頻繁に割当変更が行われる。
【００３７】
ここで、本実施形態では、特定階にはホールランタン８０が設置されていないので、新たな乗場呼びに対する割当号機を決定した際や、割当変更を行った際に、号機の案内が行われることはない。なお、本実施形態では特定階にホールランタン８０を設置していないが、特定階にホールランタン８０を設置してもよい。そして、群管理制御装置１０の制御部１１は、割当号機が登録階としての特定階に到着する直前に特定階のホールランタン８０に点灯制御信号を出力し、当該ホールランタン８０を点灯させてもよい。
【００３８】
２−３．具体的動作
実施形態１に係るエレベータの群管理制御装置１０により行われる処理についてフローチャートを参照して具体的に説明する。
【００３９】
２−３−１．乗場呼びに対する号機割当処理
まず、群管理制御装置１０による乗場呼びに対する号機割当処理について説明する。図２は、実施形態１における群管理制御装置１０による乗場呼びに対する号機割当処理を説明するフローチャートである。本フローチャートによる処理は、所定時間周期で繰り返し実行される。
【００４０】
群管理制御装置１０の制御部１１は、乗場呼びが発生したか否かを判断する（Ｓ１１）。具体的に、群管理制御装置１０の制御部１１は、乗場呼び登録装置３０から上方向乗場呼び登録依頼信号または下方向乗場呼び登録依頼信号を受信した場合、乗場呼びが発生したと判断する。
【００４１】
乗場呼びが発生していない場合（Ｓ１１でＮＯ）、群管理制御装置１０の制御部１１は、本フローチャートによる処理を終了する。
【００４２】
乗場呼びが発生した場合（Ｓ１１でＹＥＳ）、群管理制御装置１０の制御部１１は、乗場呼びの登録階が特定階か否かを判断する（Ｓ１２）。
【００４３】
乗場呼びの登録階が特定階である場合（Ｓ１２でＹＥＳ）、群管理制御装置１０の制御部１１は、簡易方式で乗場呼びを複数台の号機のうちのいずれかに割り当てる（Ｓ１３）。
【００４４】
乗場呼びの登録階が特定階でない場合（Ｓ１２でＮＯ）、群管理制御装置１０の制御部１１は、即時予報方式で乗場呼びを複数台の号機のうちのいずれかに割り当てる（Ｓ１４）。また、群管理制御装置１０の制御部１１は、割当てを行うと即座に、登録階の、割当号機に対応するホールランタン８０に点灯制御信号を出力し、当該ホールランタン８０を点灯させる。
【００４５】
２−３−２．簡易方式での号機割当の具体的処理
図３は、実施形態１における群管理制御装置１０により、図２のステップＳ１３で行われる簡易方式での号機割当処理を説明するフローチャートである。
【００４６】
群管理制御装置１０の制御部１１は、号機１〜ｎにそれぞれ乗場呼びを仮割当てして、号機１〜ｎの応答時間を計算する（Ｓ２１）。なお、本実施形態の図１等では、ｎが３の場合を示している。
【００４７】
群管理制御装置１０の制御部１１は、応答時間が最小の号機に乗場呼びを実際に割り当てる（Ｓ２２）。
【００４８】
２−３−３．即時予報方式での号機割当の具体的処理
図４は、実施形態１における群管理制御装置１０により、図２のステップＳ１４で行われる即時予報方式での号機割当処理を説明するフローチャートである。
【００４９】
群管理制御装置１０の制御部１１は、号機１〜ｎにそれぞれ乗場呼びを仮割当てして、号機１〜ｎの評価値を計算する（Ｓ３１）。
【００５０】
群管理制御装置１０の制御部１１は、評価値が最小の号機に乗場呼びを実際に割り当てる（Ｓ３２）。
【００５１】
２−３−４．乗場呼びの割当変更処理
登録済で未応答の乗場呼びにはそれぞれ管理のための呼び番号が付されており、群管理制御装置１０の制御部１１は、登録済の乗場呼びのそれぞれについて個別に割当変更の要否の判断を行う。図５は、実施形態１における群管理制御装置１０による割当変更処理を説明するフローチャートである。本フローチャートによる処理は、所定時間周期で繰り返し実行される。
【００５２】
群管理制御装置１０の制御部１１は、登録済の乗場呼びＣｉの呼び番号ｉとして１を設定する（Ｓ４１）。
【００５３】
群管理制御装置１０の制御部１１は、呼び番号ｉの乗場呼びＣｉの登録階が特定階か否かを判断する（Ｓ４２）。
【００５４】
呼び番号ｉの乗場呼びＣｉの登録階が特定階である場合（Ｓ４２でＹＥＳ）、群管理制御装置１０の制御部１１は、簡易方式で呼び番号ｉの乗場呼びＣｉの割当変更を判断する（Ｓ４３）。
【００５５】
呼び番号ｉの乗場呼びＣｉの登録階が特定階でない場合（Ｓ４２でＹＥＳ）、群管理制御装置１０の制御部１１は、即時予報方式で呼び番号ｉの乗場呼びＣｉの割当変更を判断する（Ｓ４４）。
【００５６】
群管理制御装置１０の制御部１１は、現在の呼び番号ｉに１を加算した番号を新たな呼び番号ｉとして設定する（Ｓ４５）。
【００５７】
群管理制御装置１０の制御部１１は、呼び番号ｉが号機台数ｉｍａｘよりも大きいか否かを判断する（Ｓ４６）。
【００５８】
呼び番号ｉが号機台数ｉｍａｘよりも大きくない場合（Ｓ４６でＮＯ）、群管理制御装置１０の制御部１１は、ステップＳ４２以後の処理を繰り返す。
【００５９】
呼び番号ｉが号機台数ｉｍａｘよりも大きい場合（Ｓ４６でＹＥＳ）、群管理制御装置１０の制御部１１は、本フローチャートの処理を終了する。
【００６０】
２−３−５．簡易方式での割当変更処理の具体的処理
図６は、実施形態１における群管理制御装置１０により、図５のステップＳ４３で行われる簡易方式での割当変更処理の具体的処理を説明するフローチャートである。
【００６１】
群管理制御装置１０の制御部１１は、乗場呼びＣｉを号機１〜ｎにそれぞれ仮割当てして、号機１〜ｎの応答時間を計算する（Ｓ５１）。
【００６２】
群管理制御装置１０の制御部１１は、計算した号機１〜ｎの応答時間の中で、現在乗場呼びＣｉが割り当てられている号機の応答時間が最小であるか否かを判断する（Ｓ５２）。
【００６３】
現在乗場呼びＣｉが割り当てられている号機の応答時間が最小でない場合（Ｓ５２でＮＯ）、群管理制御装置１０の制御部１１は、乗場呼びＣｉを、最小の応答時間を有する号機に割当変更して（Ｓ５３）、図６のフローチャートによる処理を終了し、図５のステップＳ４５の処理を行う。
【００６４】
現在乗場呼びＣｉが割り当てられている号機の応答時間が最小である場合（Ｓ５２でＹＥＳ）、群管理制御装置１０の制御部１１は、図６のフローチャートによる処理を終了し、図５のステップＳ４５の処理を行う。つまり、群管理制御装置１０の制御部１１は、当該乗場呼びＣｉについては割当変更を行わない。
【００６５】
２−３−６．即時予報方式での割当変更処理の具体的処理
図７は、実施形態１における群管理制御装置１０により、図５のステップＳ４４で行われる即時予報方式での割当変更の具体的処理を説明するフローチャートである。
【００６６】
群管理制御装置１０の制御部１１は、乗場呼びＣｉを号機１〜ｎにそれぞれ仮割当てして、号機１〜ｎの評価値を計算する（Ｓ６１）。
【００６７】
群管理制御装置１０の制御部１１は、計算した号機１〜ｎの評価値の中で、現在乗場呼びＣｉが割り当てられている号機の評価値が最小であるか否かを判断する（Ｓ６２）。
【００６８】
現在乗場呼びＣｉが割り当てられている号機の評価値が最小でない場合（Ｓ６２でＮＯ）、群管理制御装置１０の制御部１１は、最小の評価値と、現在乗場呼びＣｉが割り当てられている号機の評価値との差が、所定値よりも大きいか否かを判断する（Ｓ６３）。
【００６９】
評価値の差が所定値よりも大きい場合（Ｓ６３でＹＥＳ）、群管理制御装置１０の制御部１１は、乗場呼びＣｉを、最小の評価値を有する号機に割当変更して（Ｓ６４）、図７のフローチャートによる処理を終了し、図５のステップＳ４５の処理を行う。なお、群管理制御装置１０の制御部１１は、ステップＳ６４で割当変更を行った際、即座に、登録階の、割当変更先の号機に対応するホールランタン８０に点灯制御信号を出力し、当該ホールランタン８０を点灯させる。なお、割当変更を行った場合、言うまでもなく、割当変更前の割当号機についてホールランタン８０が点灯されることはない。
【００７０】
現在乗場呼びＣｉが割り当てられている号機の評価値が最小である場合（Ｓ６２でＹＥＳ）、群管理制御装置１０の制御部１１は、図７のフローチャートによる処理を終了し、図５のステップＳ４５の処理を行う。つまり、群管理制御装置１０の制御部１１は、当該乗場呼びＣｉについては割当変更を行わない。
【００７１】
また、評価値の差が所定値よりも大きくない場合（Ｓ６３でＮＯ）、群管理制御装置１０の制御部１１は、図７のフローチャートによる処理を終了し、図５のステップＳ４５の処理を行う。つまり、群管理制御装置１０の制御部１１は、当該乗場呼びＣｉについては割当変更を行わない。即時予報方式において割当変更を安易に行うと、利用者に混乱を生じさせる懸念があるためである。
【００７２】
３．作用
上述のように、即時予報方式によると、エレベータシステム全体での運行効率を高くできるというメリットがある。しかし、即時予報方式では、利用者がある階で新規の上方向または下方向の乗場呼びを登録したようなときに、必ずしも登録階の最も近くにいる号機が応答するとは限らない。そのため即時予報方式の群管理システムにおいて、エレベータ乗場に階床インジケータ７０を設けると、このような状況を利用者が視認可能となり、視認した利用者が、登録階の最も近くに存在する号機が応答しないことについて違和感を持つ可能性がある。
【００７３】
そこで、階床インジケータ７０を設けた場合には、エレベータシステムの群管理制御方式として、上述のような簡易方式を採用することが考えられる。しかし、簡易方式では、個別の乗場呼びの応答時間のみに基づいて号機割当の判断を行うため、一つの乗場呼びにおいて応答時間が最短となるように制御すると、他の乗場呼びの応答時間が長くなる場合がある。また、割当変更が複数台の号機間で繰り返し行われて複数台の号機の運行がほぼ同じになり、いわゆる団子運転が生じる場合がある。したがって、エレベータシステム全体では、即時予報方式と比べて十分な運行効率を得にくいという問題がある。
【００７４】
そこで、本実施形態のエレベータの群管理制御装置１０の制御部１１は、複数台の号機の現在位置を示す階床インジケータ７０が配置された特定階で乗場呼びが発生したときは、当該乗場呼びに対して簡易方式の群管理制御を実行し、特定階以外の階床で乗場呼びが発生したときは、当該乗場呼びに対して即時予報方式の群管理制御を実行する。
【００７５】
このような制御によると、階床インジケータ７０が配置された特定階で乗場呼びが発生した場合、最小の応答時間を有する号機が割り当てられる。そのため、特定階に近い位置に存在する号機が割り当てられる可能性が高くなる。したがって、特定階で階床インジケータ７０を目視しながら待っている利用者が違和感を持つことが抑制される。
【００７６】
一方、特定階以外の階床で乗場呼びが発生した場合、各号機の運行状態を示す複数のパラメータに基づいて、各号機の当該乗場呼びに対する割当適性に関する評価値が求められ、複数台の号機のうち最も高い割当適性を示す評価値を有する号機に乗場呼びが割り当てられる。そのため、エレベータシステム全体としての運行効率を適切に確保できる。
【００７７】
このように、本発明によれば、特定階における利用者の違和感を抑制しつつ、エレベータシステム全体としての運行効率を適切に確保できる。
【００７８】
（実施形態２）
実施形態１では、特定階において必ず簡易方式が適用される。これに対し、本実施形態では、特定階において、所定の混雑時間帯以外の時間帯のみ簡易方式を適用し、所定の混雑時間帯は即時予報方式を適用する。以下、そのための構成等について実施形態１との相違点を中心に説明する。
【００７９】
本実施形態では、特定階において、上記の階床インジケータ７０とともに、ホールランタン８０が配置されている。これは、即時予報方式による号機の案内を行うためである。
【００８０】
図８は、実施形態２における群管理制御装置１０による乗場呼びに対する号機割当処理を説明するフローチャートである。本実施形態では、ステップＳ１１２の処理が追加で行われる。なお、実施形態１と同一の処理を実行するステップについては、同一のステップ番号を付している。
【００８１】
図８のステップＳ１２において乗場呼びの登録階が特定階である場合（Ｓ１２でＹＥＳ）、群管理制御装置１０の制御部１１は、現時刻が所定の混雑時間帯にあるか否かを判断する（Ｓ１１２）。所定の混雑時間帯は、例えば午前８時〜９時の出勤時間帯、１２時〜１３時の昼食時間帯である。
【００８２】
そして、現時刻が所定の混雑時間帯にない場合（Ｓ１１２でＮＯ）、群管理制御装置１０の制御部１１は、簡易方式で乗場呼びを複数台の号機のうちのいずれかに割り当てる（Ｓ１３）。そして、群管理制御装置１０の制御部１１は、割当号機が特定階に到着する直前に、特定階の、割当号機に対応するホールランタン８０に点灯制御信号を出力し、当該ホールランタン８０を点灯させる。
【００８３】
一方、現時刻が所定の混雑時間帯にある場合（Ｓ１１２でＹＥＳ）、群管理制御装置１０の制御部１１は、即時予報方式で乗場呼びを複数台の号機のうちのいずれかに割り当てる（Ｓ１４）。群管理制御装置１０の制御部１１は、割当てを行うと即座に、特定階の、割当号機に対応するホールランタン８０に点灯制御信号を出力し、当該ホールランタン８０を点灯させる。
このように、本実施形態では、群管理制御装置１０の制御部１１は、特定階の乗場呼びに割当てを行った場合にもホールランタン８０を点灯させるが、群管理方式が即時予報方式か簡易方式かによってホールランタン８０を点灯させるタイミングが異なる。
【００８４】
図９は、実施形態２における群管理制御装置１０による割当変更処理を説明するフローチャートである。本実施形態では、ステップＳ１４２の処理が追加で行われる。なお、実施形態１と同一の処理を実行するステップについては、同一のステップ番号を付している。
【００８５】
図９のステップＳ４２において呼び番号ｉの乗場呼びＣｉの登録階が特定階である場合（Ｓ４２でＹＥＳ）、群管理制御装置１０の制御部１１は、現時刻が所定の混雑時間帯にあるか否かを判断する（Ｓ１４２）。
【００８６】
現時刻が所定の混雑時間帯にない場合（Ｓ１４２でＮＯ）、群管理制御装置１０の制御部１１は、簡易方式で呼び番号ｉの乗場呼びＣｉの割当変更を判断する（Ｓ４３）。簡易方式で割当変更を実行する場合、群管理制御装置１０の制御部１１は、割当変更先の号機が特定階に到着する直前に、特定階の、割当変更先の号機に対応するホールランタン８０に点灯制御信号を出力し、当該ホールランタン８０を点灯させる。なお、割当変更を行った場合、言うまでもなく、割当変更前の割当号機についてホールランタン８０が点灯されることはない。
【００８７】
一方、現時刻が所定の混雑時間帯にある場合（Ｓ１４２でＹＥＳ）、群管理制御装置１０の制御部１１は、即時予報方式で呼び番号ｉの乗場呼びＣｉの割当変更を判断する（Ｓ４４）。群管理制御装置１０の制御部１１は、割当て変更を行うと即座に、特定階の、割当変更先の号機に対応するホールランタン８０に点灯制御信号を出力し、当該ホールランタン８０を点灯させる。
【００８８】
本実施形態によると、乗場呼びが特定階で発生した場合であっても、所定の混雑時間帯においては、即時予報方式の群管理制御が実行される。そのため、所定の混雑時間帯において、エレベータシステム全体としての運行効率を適切に確保できる。
【００８９】
（実施形態３）
実施形態１では、特定階において必ず簡易方式が適用される。これに対し、本実施形態では、特定階において、所定の混雑状態が検知されていないときのみ簡易方式を適用し、所定の混雑状態が検知されているときは即時予報方式を適用する。以下、そのための構成等について実施形態１との相違点を中心に説明する。
【００９０】
本実施形態では、実施形態２同様、特定階において、上記の階床インジケータ７０とともに、ホールランタン８０が配置されている。これは、即時予報方式による号機の案内を行うためである。
【００９１】
図１０は、実施形態３における群管理制御装置１０による乗場呼びに対する号機割当処理を説明するフローチャートである。本実施形態では、ステップＳ２１２の処理が追加で行われる。なお、実施形態１と同一の処理を実行するステップについては、同一のステップ番号を付している。
【００９２】
図１０のステップＳ１２において乗場呼びの登録階が特定階である場合（Ｓ１２でＹＥＳ）、群管理制御装置１０の制御部１１は、現在所定の混雑状態にあるか否かを判断する（Ｓ２１２）。現在所定の混雑状態にあるか否かは、例えば、エレベータシステム全体としての乗場呼びの発生頻度（単位時間当たり発生回数）が所定頻度以上か否かに基づいて判断する。
【００９３】
そして、現在所定の混雑状態にない場合（Ｓ２１２でＮＯ）、群管理制御装置１０の制御部１１は、簡易方式で乗場呼びを複数台の号機のうちのいずれかに割り当てる（Ｓ１３）。そして、群管理制御装置１０の制御部１１は、割当号機が特定階に到着する直前に、特定階の、割当号機に対応するホールランタン８０に点灯制御信号を出力し、当該ホールランタン８０を点灯させる。
【００９４】
一方、現在所定の混雑状態にある場合（Ｓ２１２でＹＥＳ）、群管理制御装置１０の制御部１１は、即時予報方式で乗場呼びを複数台の号機のうちのいずれかに割り当てる（Ｓ１４）。群管理制御装置１０の制御部１１は、割当てを行うと即座に、特定階の、割当号機に対応するホールランタン８０に点灯制御信号を出力し、当該ホールランタン８０を点灯させる。
このように、本実施形態では、群管理制御装置１０の制御部１１は、特定階の乗場呼びに割当てを行った場合にも、ホールランタン８０を点灯させるが、群管理方式が即時予報方式か簡易方式かによってホールランタン８０を点灯させるタイミングが異なる。
【００９５】
図１１は、実施形態３における群管理制御装置１０による割当変更処理を説明するフローチャートである。本実施形態では、ステップＳ２４２の処理が追加で行われる。なお、実施形態１と同一の処理を実行するステップについては、同一のステップ番号を付している。
【００９６】
図１１のステップＳ４２において呼び番号ｉの乗場呼びＣｉの登録階が特定階である場合（Ｓ４２でＹＥＳ）、群管理制御装置１０の制御部１１は、現在所定の混雑状態にあるか否かを判断する（Ｓ２４２）。
【００９７】
現在所定の混雑状態にない場合（Ｓ２４２でＮＯ）、群管理制御装置１０の制御部１１は、簡易方式で呼び番号ｉの乗場呼びＣｉの割当変更を判断する（Ｓ４３）。簡易方式で割当変更を実行する場合、群管理制御装置１０の制御部１１は、割当変更先の号機が特定階に到着する直前に、特定階の、割当変更先の号機に対応するホールランタン８０に点灯制御信号を出力し、当該ホールランタン８０を点灯させる。なお、割当変更を行った場合、言うまでもなく、割当変更前の割当号機についてホールランタン８０が点灯されることはない。
【００９８】
一方、現在所定の混雑状態にある場合（Ｓ２４２でＹＥＳ）、群管理制御装置１０の制御部１１は、即時予報方式で呼び番号ｉの乗場呼びＣｉの割当変更を判断する（Ｓ４４）。群管理制御装置１０の制御部１１は、割当て変更を行うと即座に、特定階の、割当変更先の号機に対応するホールランタン８０に点灯制御信号を出力し、当該ホールランタン８０を点灯させる。
【００９９】
本実施形態によると、乗場呼びが特定階で発生した場合であっても、所定の混雑状態が検知されているときは、即時予報方式の群管理制御が実行される。そのため、所定の混雑状態にあるときに、エレベータシステム全体としての運行効率を適切に確保できる。
【０１００】
（実施形態１〜３のまとめ）
（１）実施形態１〜３のエレベータの群管理制御装置１０は、複数台の号機の運行を統合的に制御する。
群管理制御装置１０は、簡易方式の群管理制御（第１の群管理制御）と即時予報方式の群管理制御（第２の群管理制御）とを実行可能な制御部１１を備える。
制御部１１は、
簡易方式の群管理制御（第１の群管理制御）において、乗場呼びの発生時、乗場呼びを複数台の号機の各々に仮割当てして、各号機の当該乗場呼びに対する応答時間を求め、複数台の号機のうち最小の応答時間を有する号機に乗場呼びを割り当て、
即時予報方式の群管理制御（第２の群管理制御）において、乗場呼びの発生時、各号機の運行状態を示す複数のパラメータに基づいて、各号機の当該乗場呼びに対する割当適性に関する評価値を求め、複数台の号機のうち最も高い割当適性を示す評価値を有する号機に乗場呼びを割り当てるように構成されている。
制御部１１は、
複数台の号機の現在位置を示す階床インジケータ７０が配置された特定階で乗場呼びが発生したときは、当該乗場呼びに対して簡易方式の群管理制御（第１の群管理制御）を実行し、
特定階以外の階床で乗場呼びが発生したときは、当該乗場呼びに対して即時予報方式の群管理制御（第２の群管理制御）を実行する。
【０１０１】
本実施形態のエレベータの群管理制御装置１０によれば、階床インジケータ７０が配置された特定階で乗場呼びが発生した場合、最小の応答時間を有する号機が割り当てられる。そのため、特定階に近い位置に存在する号機が割り当てられる可能性が高くなる。したがって、特定階で階床インジケータ７０を目視しながら待っている利用者が違和感を持つことが抑制される。
【０１０２】
一方、特定階以外の階床で乗場呼びが発生した場合、各号機の運行状態を示す複数のパラメータに基づいて、各号機の当該乗場呼びに対する割当適性に関する評価値が求められ、複数台の号機のうち最も高い割当適性を示す評価値を有する号機に乗場呼びが割り当てられる。そのため、エレベータシステム全体としての運行効率を適切に確保できる。
【０１０３】
このように、本発明によれば、特定階における利用者の違和感を抑制しつつ、エレベータシステム全体としての運行効率を適切に確保できる。
【０１０４】
（２）実施形態１〜３におけるエレベータの群管理制御装置１０において、
制御部１１は、簡易方式の群管理制御（第１の群管理制御）において、割当済・未応答の乗場呼びの各々について、複数台の号機の各々に仮割当てして、各号機の当該乗場呼びに対する応答時間を求め、複数台の号機の中に、現在割り当てられている号機の応答時間よりも短い応答時間を有する号機が存在するときは、最小の応答時間を有する号機に割当変更を行う。
【０１０５】
これにより、特定階で登録された乗場呼びについては、割当後において、適宜、応答時間が最も短い号機に割当変更が行われることとなる。そのため、各号機の運行状態が時間の経過に伴い変化した場合でも、最終的には、特定階に近い位置に存在する号機が割り当てられる可能性が高くなる。そのため、特定階で階床インジケータ７０を目視しながら待っている利用者が違和感を持つことがより一層抑制される。
【０１０６】
（３）実施形態１〜３におけるエレベータの群管理制御装置１０において、
制御部１１は、即時予報方式の群管理制御（第２の群管理制御）において、割当済で未応答の乗場呼びの各々について、複数台の号機の各々に仮割当てして、各号機の割当適性に関する評価値を求め、複数台の号機の中に、現在割り当てられている号機の評価値よりも高い割当適性を示す評価値を有する号機が存在するときは、最も高い割当適性を示す評価値と現在割り当てられている号機の評価値との差が所定値以上であることを条件として、最も高い割当適性を示す評価値を有する号機に割当変更を行う。
【０１０７】
これにより、即時予報方式の群管理制御（第２の群管理制御）において、割当済で未応答の乗場呼びの各々について、は、割当後において、複数台の号機の中に、現在割り当てられている号機の評価値よりも高い割当適性を示す評価値を有する号機が存在するときは、最も高い割当適性を示す評価値を有する号機に割当変更が行われる。そのため、各号機の運行状態が時間の経過に伴い変化した場合でも、エレベータシステム全体としての運行効率を適切に確保できる。
【０１０８】
特に、本実施形態によれば、最も高い割当適性を示す評価値と現在割り当てられている号機の評価値との差が所定値以上であることを条件として、割当変更が行われることとなる。そのため、頻繁に割当変更が行われることが回避される。そのため、割当変更による利用者の利便性の低下等が極力抑制される。
【０１０９】
（４）実施形態１〜３におけるエレベータの群管理制御装置１０において、
制御部１１は、即時予報方式の群管理制御（第２の群管理制御）において、割当済で未応答の乗場呼びの各々について、複数台の号機の各々に仮割当てして、各号機の割当適性に関する評価値及び当該乗場呼びに対する応答時間を求め、複数台の号機の中に、現在割り当てられている号機の評価値よりも高い割当適性を示す評価値を有する号機が存在するときは、最も高い割当適性を示す評価値を有する号機の応答時間が現在割り当てられている号機の応答時間よりも所定時間以上短いことを条件として、最も高い割当適性を示す評価値を有する号機に割当変更を行う。
【０１１０】
これにより、即時予報方式の群管理制御（第２の群管理制御）において、割当済で未応答の乗場呼びの各々について、は、割当後において、複数台の号機の中に、現在割り当てられている号機の評価値よりも高い割当適性を示す評価値を有する号機が存在するときは、最も高い割当適性を示す評価値を有する号機に割当変更が行われる。そのため、号機の運行状態が時間の経過に伴い変化した場合でも、エレベータシステム全体としての運行効率を適切に確保できる。
【０１１１】
特に、本実施形態によれば、最も高い割当適性を示す評価値を有する号機の応答時間が現在割り当てられている号機の応答時間よりも所定時間以上短いことを条件として、割当変更が行われることとなる。そのため、頻繁に割当変更が行われることが回避される。そのため、割当変更による利用者の利便性の低下等が極力抑制される。
【０１１２】
（５−１）実施形態２におけるエレベータの群管理制御装置１０において、
制御部１１は、特定階で乗場呼びが発生したときであっても、所定の混雑時間帯にあるときは、当該乗場呼びに対して即時予報方式の群管理制御（第２の群管理制御）を実行する。
【０１１３】
これにより、所定の混雑時間帯にあるときにおいて、エレベータシステム全体としての運行効率を向上させることができる。
【０１１４】
（５−２）実施形態３におけるエレベータの群管理制御装置１０において、
制御部１１は、特定階で乗場呼びが発生したときであっても、所定の混雑状態が検知されているときは、当該乗場呼びに対して即時予報方式の群管理制御（第２の群管理制御）を実行する。
【０１１５】
これにより、所定の混雑状態にあるときにおいて、エレベータシステム全体としての運行効率を向上させることができる。
【０１１６】
（６）実施形態１〜３のエレベータシステムは、
複数台の号機と、
実施形態１〜３のいずれかのエレベータの群管理制御装置１０と、を有する。
【０１１７】
これにより、エレベータシステムとして上記の効果が得られる。
【０１１８】
（その他の実施形態）
前記実施形態では、即時予報方式の群管理制御での号機の案内のためにホールランタン８０を設けているが、ホールランタン８０に代えてあるいはそれとともにチャイムを設けてもよい。
【０１１９】
前記実施形態では、制御部１１は、ＣＰＵ、ＭＰＵ等を利用して構成され、記憶部１２から読み出したプログラムに基づいて種々のデータ等を利用して演算処理を行うことにより、各種の機能を実現している。つまり、制御部１１は、ハードウェアとソフトウェアとの協働により実現されている。しかし、制御部１１は、例えば、ハードウェア（電子回路）のみ、ＦＰＧＡ、ＡＳＩＣ等を利用して構成してもよい。
【符号の説明】
【０１２０】
１０  群管理制御装置
１１  制御部
１２  記憶部
１３  入出力インタフェース
３０  乗場呼び登録装置
４０、４０−１、４０−２、４０−３  号機制御装置
６０、６０−１、６０−２、６０−３  エレベータ
７０  階床インジケータ
８０  ホールランタン
【図１】
0006701974.tif 000002
【図２】
0006701974.tif 000003
【図３】
0006701974.tif 000004
【図４】
0006701974.tif 000005
【図５】
0006701974.tif 000006
【図６】
0006701974.tif 000007
【図７】
0006701974.tif 000008
【図８】
0006701974.tif 000009
【図９】
0006701974.tif 000010
【図１０】
0006701974.tif 000011
【図１１】
0006701974.tif 000012